(57)【特許請求の範囲】
【請求項１】
便器本体と、
前記便器本体の後方の上面に取り付けられるベースプレートと、
前記ベースプレートに配置される洗浄水タンクと、
前記洗浄水タンクを覆うタンクカバーと、
洗浄水を給水する給水流路部と、
前記給水流路部に設けられ、前記給水流路部を流通する水の流れを調整する水流調整機構と、
前記水流調整機構を操作する操作部と、を備える便器洗浄装置であって、
前記ベースプレートは、前記洗浄水タンクが配置されるタンク配置部と、前記操作部が該ベースプレートの下方に位置するように取り付けられる取付部と、を有し、
前記取付部は、前記ベースプレートの左右方向の一方の端部側、又は、前記ベースプレートの後方側の左右方向の一方側に配置される
便器洗浄装置。
【請求項２】
便器本体と、
前記便器本体の後方の上面に取り付けられるベースプレートと、
前記ベースプレートに配置される洗浄水タンクと、
前記洗浄水タンクを覆うタンクカバーと、
洗浄水を給水する給水流路部と、
前記給水流路部に設けられ、前記給水流路部を流通する水の流れを調整する水流調整機構と、
前記水流調整機構を操作する操作部と、を備える便器洗浄装置であって、
前記ベースプレートは、前記洗浄水タンクが配置されるタンク配置部と、前記操作部が該ベースプレートの下方に位置するように取り付けられる取付部と、を有し、
前記ベースプレートは、前記取付部と前記タンク配置部とを区画する区画部を有する便器洗浄装置。
【請求項３】
便器本体と、
前記便器本体の後方の上面に取り付けられるベースプレートと、
前記ベースプレートに配置される洗浄水タンクと、
前記洗浄水タンクを覆うタンクカバーと、
洗浄水を給水する給水流路部と、
前記給水流路部に設けられ、前記給水流路部を流通する水の流れを調整する水流調整機構と、
前記水流調整機構を操作する操作部と、を備える便器洗浄装置であって、
前記ベースプレートは、前記洗浄水タンクが配置されるタンク配置部と、前記操作部が該ベースプレートの下方に位置するように取り付けられる取付部と、を有し、
前記取付部は、弾性変形することで取付位置への前記操作部の導入を許可する取付片であって、前記取付位置において弾性復帰することで前記操作部における取り外し方向への移動を規制する取付片を有する便器洗浄装置。
【請求項４】
便器本体と、
前記便器本体の後方の上面に取り付けられるベースプレートと、
前記ベースプレートに配置される洗浄水タンクと、
前記洗浄水タンクを覆うタンクカバーと、
洗浄水を給水する給水流路部と、
前記給水流路部に設けられ、前記給水流路部を流通する水の流れを調整する水流調整機構と、
前記水流調整機構を操作する操作部と、を備える便器洗浄装置であって、
前記ベースプレートは、前記洗浄水タンクが配置されるタンク配置部と、前記操作部が該ベースプレートの下方に位置するように取り付けられる取付部と、を有し、
前記給水流路部は、前記洗浄水タンクの内部を通り洗浄水を前記洗浄水タンクに給水する主流路部と、前記主流路部から分岐し前記洗浄水タンクの外部を通ると共に洗浄水を補給水として前記洗浄水タンクの外部に吐出する分岐流路部と、を有し、
前記水流調整機構は、前記分岐流路部に配置され前記分岐流路部を流通する水の流れを調整する便器洗浄装置。
【請求項５】
前記水流調整機構は、前記ベースプレートに取り付けられる請求項４に記載の便器洗浄装置。
【請求項６】
請求項１から５のいずれかに記載の便器洗浄装置の施工方法であって、
前記タンクカバーは、前記洗浄水タンクの上部を覆う上部カバー部と一体的に成形されており、
前記操作部を前記ベースプレートに取り付ける第１工程と、
前記第１工程の後に、前記タンクカバーを前記ベースプレートに取り付ける第２工程と、を備える便器洗浄装置の施工方法。
【発明の詳細な説明】
【技術分野】
【０００１】
本発明は、給水流路部を流通する水の流れを調整する水流調整機構を操作する操作部を有する便器洗浄装置に関する。
【背景技術】
【０００２】
従来、給水部と、洗浄水タンクと、給水部から洗浄水を洗浄水タンクに給水する給水流路部と、給水流路部を流通する水の流れを調整する水流調整機構を操作する操作部と、を有する技術が知られている（例えば、特許文献１参照）。
特許文献１に記載の技術においては、操作部は、洗浄水タンクを覆うタンクカバーの側部に取り付けられている。特許文献１に記載の技術では、操作部は、流量操作ハンドルとして構成され、流量操作ハンドルを操作することで、給水流路部を流通する水の流れを調整する操作を行い、給水部の凍結を防止することができる。
【先行技術文献】
【特許文献】
【０００３】
【特許文献１】特開平１１−３２４０６０号公報
【発明の概要】
【発明が解決しようとする課題】
【０００４】
特許文献１に記載の技術においては、洗浄水タンクを覆うタンクカバーの側部から突出するように流量操作部が取り付けられている。そのため、タンクカバーの側部に配置される流量操作部の構成を排除して、見栄え、即ち、意匠性を向上できる余地がある。
【０００５】
本発明は、意匠性を向上できる便器洗浄装置を提供することを目的とする。
【課題を解決するための手段】
【０００６】
本発明は、便器本体と、前記便器本体の後方の上面に取り付けられるベースプレートと、前記ベースプレートに配置される洗浄水タンクと、前記洗浄水タンクを覆うタンクカバーと、洗浄水を給水する給水流路部と、前記給水流路部に設けられ、前記給水流路部を流通する水の流れを調整する水流調整機構と、前記水流調整機構を操作する操作部と、を備える便器洗浄装置であって、前記ベースプレートは、前記洗浄水タンクが配置されるタンク配置部と、前記操作部が該ベースプレートの下方に位置するように取り付けられる取付部と、を有する便器洗浄装置に関する。
【０００７】
また、前記ベースプレートは、前記取付部と前記タンク配置部とを区画する区画部を有することが好ましい。
【０００８】
また、前記取付部は、弾性変形することで取付位置への前記操作部の導入を許可する取付片であって、前記取付位置において弾性復帰することで前記操作部における取り外し方向への移動を規制する取付片を有することが好ましい。
【０００９】
また、前記給水流路部は、前記洗浄水タンクの内部を通り洗浄水を前記洗浄水タンクに給水する主流路部と、前記主流路部から分岐し前記洗浄水タンクの外部を通ると共に洗浄水を補給水として前記洗浄水タンクの外部に吐出する分岐流路部と、を有し、前記水流調整機構は、前記分岐流路部に配置され前記分岐流路部を流通する水の流れを調整することが好ましい。
【００１０】
また、前記水流調整機構は、前記ベースプレートに取り付けられることが好ましい。
【００１１】
また、前記便器洗浄装置の施工方法であって、前記タンクカバーは、前記洗浄水タンクの上部を覆う上部カバー部と一体的に成形されており、前記操作部を前記ベースプレートに取り付ける第１工程と、前記第１工程の後に、前記タンクカバーを前記ベースプレートに取り付ける第２工程と、を備える便器洗浄装置の施工方法に関する。
【発明の効果】
【００１２】
本発明によれば、意匠性を向上できる便器洗浄装置を提供することができる。
【図面の簡単な説明】
【００１３】
【図１】本発明の一実施形態に係る便器洗浄装置１００の斜視図である。
【図２】本発明の一実施形態に係る便器洗浄装置１００において、タンクカバー５０、手洗い部４０の主要な構成及び洗浄操作レバーハンドル８１を取り外した状態の斜視図である。
【図３】流動操作機構７０をベースプレート２０に取り付けた状態を示す斜視図である。
【図４】流動操作機構７０をベースプレート２０に取り付けた状態を示す断面斜視図である。
【図５】流動操作機構７０をベースプレート２０から取り外した状態を示す斜視図である。
【図６Ａ】流動操作機構７０をベースプレート２０に取り付ける操作を示す平面図であって、操作ダイヤル部７１を長穴開口２１ａに挿入した状態を示す図である。
【図６Ｂ】流動操作機構７０をベースプレート２０に取り付ける操作を示す平面図であって、操作ダイヤル部７１を長穴開口２１ａに挿入した状態で取付位置にスライドさせた状態を示す図である。
【図７】本発明の第２実施形態に係る便器洗浄装置１００Ａの斜視図である。
【図８】本発明の第２実施形態に係る便器洗浄装置１００Ａにおいて、上部カバー８ａを取り外した状態を示す斜視図である。
【図９】第２実施形態に係る便器洗浄装置１００Ａのベースプレート３を上方側から視た場合の斜視図である。
【図１０】第２実施形態に係る便器洗浄装置１００Ａのベースプレート３を下方側から視た場合の斜視図である。
【図１１】第２実施形態に係る便器洗浄装置１００Ａのベースプレート３を便器本体２ａに載置した状態で、上方側から視た図である。
【図１２】第２実施形態に係る便器洗浄装置１００Ａのベースプレート３を上方側から視た場合の部分拡大図である。
【図１３】水流調整機構６をベースプレート３に取り付けた状態を斜め後方側から視た斜視図である。
【図１４】水流調整機構６をベースプレート３に取り付けた状態を前方側から視た斜視図である。
【図１５】水流調整機構６をベースプレート３に取り付けた状態を示す断面図である。
【図１６】水流調整機構６の各構成部分をベースプレート３から取り外した状態を示す斜視図である。
【発明を実施するための形態】
【００１４】
［第１実施形態］
以下、本発明の便器洗浄装置１００の第１実施形態について、図面を参照しながら説明する。
まず、本発明の第１実施形態に係る便器洗浄装置１００の全体構成について、図１及び図２を参照しながら説明する。
【００１５】
本実施形態の便器洗浄装置１００は、図１及び図２に示すように、便器１０と、ベースプレート２０と、洗浄水タンク３０と、手洗い部４０と、タンクカバー５０と、給水部６０と、操作ダイヤル部７１を有する流動操作機構７０と、を備える。
【００１６】
便器１０は、便器本体１１と、この便器本体１１の上部に便器本体１１に対して開閉可能に取り付けられる便座１２及び便蓋１３と、を含んで構成される。
【００１７】
ベースプレート２０は、便器本体１１の後方の上面に取り付けられる。ベースプレート２０の上方には、洗浄水タンク３０が配置される。
ベースプレート２０には、図２に示すように、後述する流動操作機構７０の操作ダイヤル部７１が取り付けられている。操作ダイヤル部７１は、後述する給水部６０から洗浄水を洗浄水タンク３０に給水する給水流路部（図示せず）を流通する水の流れを調整する操作を行う。
【００１８】
洗浄水タンク３０は、ベースプレート２０の上方において、便器１０の後方かつ上方に配置され、便器本体１１を洗浄する洗浄水を貯留する。この洗浄水タンク３０は、図２に示すように、上面が開口したタンク本体３１と、このタンク本体３１の上面に配置され、タンク本体３１の上面を覆う蓋部３２と、を備える。
【００１９】
以上の洗浄水タンク３０の内部には、図２に示すように、給水部６０が配置される。洗浄水タンク３０には、給水部６０を介して洗浄水が供給される。
また、タンク本体３１の下部には、フロート弁（図示せず）により開閉される排水口（図示せず）が形成されている。そして、フロート弁を引き上げて排水口を開放することにより、タンク本体３１の内部に貯留された洗浄水が排水口から流出して便器１０に供給され、便器本体１１が洗浄される。
【００２０】
手洗い部４０は、洗浄水タンク３０の上方に配置される。手洗い部４０は、手洗いボウル部４１と、手洗い吐水管４２と、吐水管固定部４３と、吐水管クリップ４４と、を備える。
【００２１】
手洗いボウル部４１は、タンクカバー５０における上部カバー部５１（後述）の一部により構成される。手洗いボウル部４１は、手洗い吐水管４２から吐出される手洗い水を受ける。この手洗いボウル部４１の底部には、排水口（図示せず）が形成されている。
【００２２】
手洗い吐水管４２は、手洗いボウル部４１の背部側の前面から前方に突出するように配置される。この手洗い吐水管４２の先端部は、下方に開口している。
手洗い吐水管４２は、基端部が手洗いボウル部４１の背部側の前面に形成された吐水管取付穴４１ａに固定された吐水管固定部４３に取り付けられた状態で、吐水管クリップ４４により固定される。
【００２３】
以上の手洗い部４０には、洗浄水タンク３０に供給される洗浄水の一部が、手洗い側給水管３３を介して手洗い吐水管４２に供給される。これにより、給水部６０の動作により洗浄水タンク３０に洗浄水が貯留される場合に、この貯留される洗浄水の一部が手洗い吐水管４２から吐出される。
また、手洗い部４０から排出される排水は、手洗い側排水管（不図示）を介して洗浄水タンク３０に排出される。
【００２４】
タンクカバー５０は、上部カバー部５１と、下部カバー部５２と、を有する。タンクカバー５０は、上部カバー部５１と下部カバー部５２とが、例えば、樹脂材料により一体的に成型されることで形成される。
【００２５】
上部カバー部５１は、手洗い部４０の手洗いボウル部４１を含んで構成される。上部カバー部５１は、タンクカバー５０の上部に配置され、タンクカバー５０の上部を塞ぐように形成される。上部カバー部５１は、洗浄水タンク３０の上部を覆うように形成される。
下部カバー部５２は、方形筒状に形成される。下部カバー部５２は、洗浄水タンク３０の周囲を囲むように形成される。
【００２６】
洗浄水タンク３０にタンクカバー５０を被せる場合には、図２に示すように、ベースプレート２０の上部に洗浄水タンク３０を配置して、ベースプレート２０に操作ダイヤル部７１を取り付ける。
この状態で、タンクカバー５０を、洗浄水タンク３０を覆うように、洗浄水タンク３０に被せて、タンクカバー５０の下端部をベースプレート２０に取り付ける。
そして、手洗いボウル部４１の吐水管取付穴４１ａに吐水管固定部４３を取り付けると共に、吐水管固定部４３に手洗い吐水管４２を取り付ける。その後、吐水管クリップ４４を用いて、手洗い吐水管４２を吐水管固定部４３に固定する。また、タンクカバー５０の一方の側部において、タンクカバー５０の外部から洗浄操作レバーハンドル８１を洗浄操作部８２に取り付ける。
このようにして、図１に示すように、タンクカバー５０は、洗浄水タンク３０を覆うように、洗浄水タンク３０に被せられる。
【００２７】
次に、本発明の操作機構としての流動操作機構７０の詳細について、図面を参照しながら説明する。
流動操作機構７０は、給水部６０（図２参照）から給水される洗浄水の給水流路部（図示せず）を流通する水の流れを調整する水流調整機構（図示せず）を操作する。
水流調整機構（図示せず）は、給水部６０（図２参照）から洗浄水を洗浄水タンク３０に給水する給水流路部（図示せず）に設けられる。
【００２８】
流動操作機構７０は、図３〜図５に示すように、操作部としての操作ダイヤル部７１と、操作本体部７２と、接続ケーブルとしての操作ケーブル７３と、を備える。
【００２９】
操作ケーブル７３は、水流調整機構（図示せず）と操作ダイヤル部７１とを接続する。操作ケーブル７３は、操作ダイヤル部７１が操作されることで、内部に配置される内部ケーブル７３ａ（図４参照）が移動されて、流動調整機構（図示せず）の流動弁（図示せず）を閉状態又は開状態に移動させる。操作ダイヤル部７１を操作して流動弁（図示せず）を開状態にすることで、給水部６０（図２参照）が洗浄水タンク３０に洗浄水を止水している状態においても、流動弁を介して少量の水を流通させられる。これにより、例えば、寒冷地等の冬季に給水部の凍結のおそれがある地域において、少量の水を連続的に流通させられるので、給水部６０の凍結を防げる。
【００３０】
操作本体部７２には、図４及び図５に示すように、操作ダイヤル部７１が取り付けられる。操作本体部７２に取り付けられた操作ダイヤル部７１は、操作本体部７２を介して、ベースプレート２０の操作ダイヤル取付部２１に取り付けられる。ベースプレート２０の操作ダイヤル取付部２１は、ベースプレート２０の左右方向の一方の端部側に配置される。
【００３１】
操作本体部７２は、筒状に形成され、基端側筒部７２１と、終端側筒部７２２と、フランジ部７２３と、を有する。基端側筒部７２１及び終端側筒部７２２は直線状に連続して形成され、互いは連通している。
【００３２】
基端側筒部７２１は、図４に示すように、基端側の端部に、基端側開口７２１ａを有する。
基端側開口７２１ａには、操作ケーブル７３が挿通される。操作ケーブル７３の一端は、水流調整機構（不図示）に接続され、操作ケーブル７３の他端は、操作ダイヤル部７１に接続される。
【００３３】
終端側筒部７２２は、図４に示すように、終端側の端部に、終端側開口７２２ａを有する。
終端側筒部７２２には、操作ダイヤル部７１が配置される。操作ダイヤル部７１は、終端側開口７２２ａに回動可能に取り付けられる。
【００３４】
フランジ部７２３は、操作本体部７２の上下方向の略中央（基端側筒部７２１及び終端側筒部７２２の境界）の周面において、周方向に沿って延出して形成される。
【００３５】
操作ダイヤル部７１は、操作本体部７２に取り付けられた状態で、ベースプレート２０における操作ダイヤル取付部２１に取り付けられる。操作ダイヤル部７１は、ベースプレート２０の下方に位置するように、操作本体部７２を介して、ベースプレート２０の操作ダイヤル取付部２１に取り付けられる。
【００３６】
操作ダイヤル部７１を回動して操作することで、操作ケーブル７３を移動させて、流動弁（図示せず）を閉状態と開状態とに移動させる。これにより、流動弁を介して少量の水を流通させる状態と、水を流通させない状態と、に操作することができる。
【００３７】
操作ダイヤル取付部２１は、図３〜図５に示すように、ベースプレート２０における洗浄水タンク３０が配置された部分（タンク配置部）２３とは区画された区画部２２に配置される。区画部２２は、操作ダイヤル取付部２１とタンク配置部２３とを区画する。区画部２２は、操作ダイヤル取付部２１を、ベースプレート２０における水が溜まる部分から区画している。
【００３８】
例えば、区画部２２は、平面視で（垂直方向に視た場合に）、ベースプレート２０に配置される洗浄水タンク３０と重ならない位置に形成される。そのため、区画部２２は、洗浄水タンク３０の外面に付着した水滴が、洗浄水タンク３０の表面を伝わってベースプレート２０に落下しても、水の浸入が抑制される位置に形成される。
また、例えば、区画部２２は、周壁部２２１を有する。周壁部２２１は、操作ダイヤル取付部２１を囲むように、ベースプレート２０の底面２０ａから立ち上がって形成される。周壁部２２１を有することで、区画部２２には、ベースプレート２０の底面２０ａに溜まった水が浸入することが抑制される。なお、区画部２２は、操作ダイヤル取付部２１を囲むことに限らない。例えば、区画部２２は、操作ダイヤル取付部２１とタンク配置部２３との間に配置される壁部であって、操作ダイヤル取付部２１を囲まない壁部であってもよい。
【００３９】
区画部２２の周壁部２２１の内側には、図３〜図５に示すように、操作ダイヤル取付部２１が配置される。
操作ダイヤル取付部２１は、板状の基板部２１１と、略Ｃ字形状の枠壁２１２と、取付片２１３と、を有する。
【００４０】
基板部２１１は、板状に形成され、ベースプレート２０の底面２０ａよりも上方側において、ベースプレート２０の底面２０ａと略平行に形成される。
基板部２１１には、長穴開口２１ａと、長穴開口２１ａに連続して形成された溝状開口２１ｂと、が形成される。
【００４１】
長穴開口２１ａは、所定方向に延びる貫通穴であり、操作本体部７２に取り付けた操作ダイヤル部７１を挿入可能な大きさに形成される。長穴開口２１ａは、操作本体部７２に取り付けた操作ダイヤル部７１を挿入した状態で、長穴開口２１ａの長さ方向（長穴開口２１ａが延びる方向）へ操作ダイヤル部７１の移動が可能な大きさに形成される。
また、長穴開口２１ａは、操作本体部７２のフランジ部７２３を挿入できない大きさに形成される。基板部２１１の上面側から、操作本体部７２に取り付けた操作ダイヤル部７１が長穴開口２１ａに挿入された場合に、長穴開口２１ａに挿入された操作本体部７２のフランジ部７２３は、基板部２１１の上面に当接する。
溝状開口２１ｂには、後述する取付片２１３が配置される。
【００４２】
枠壁２１２は、基板部２１１の上面に沿って、平面視で水平方向の一方側が開放した略Ｃ字形状に形成される。枠壁２１２は、基板部２１１の上面において長穴開口２１ａから外側に所定距離離れた位置に長穴開口２１ａに沿って形成されると共に、基板部２１１の上面から上方に向けて突出する。
【００４３】
枠壁２１２は、図５に示すように、上方側移動規制部２１２ａを有する。上方側移動規制部２１２ａは、枠壁２１２における取付片２１３と反対側の部分に形成される。上方側移動規制部２１２ａは、基板部２１１との間に隙間２１２ｂを形成した状態で、枠壁２１２の上部において、枠壁２１２の内側に向けて延出する。枠壁２１２の隙間２１２ｂには、操作本体部７２に取り付けた操作ダイヤル部７１を長穴開口２１ａに挿入し且つフランジ部７２３が基板部２１１の上面に当接した状態において、操作本体部７２に取り付けた操作ダイヤル部７１を、枠壁２１２の開放側と反対側に長穴開口２１ａに沿ってスライドさせることで、操作本体部７２のフランジ部７２３の一部が収容される。これにより、枠壁２１２の上方側移動規制部２１２ａにより、操作本体部７２のフランジ部７２３は、上方側への移動が規制される。
【００４４】
取付片２１３は、溝状開口２１ｂに配置される。取付片２１３は、基板部２１１と平行な板状に形成される。取付片２１３は、弾性変形可能に構成される。
【００４５】
取付片２１３の一端は、溝状開口２１ｂにおける長穴開口２１ａと反対側において、区画部２２の周壁部２２１に固定される。取付片２１３の他端は、溝状開口２１ｂにおける長穴開口２１ａ側において、自由端として構成される。取付片２１３の自由端側の端部には、上方側に突出する凸部２１３ａが形成される。凸部２１３ａは、基板部２１１よりも上方に突出する。
【００４６】
取付片２１３は、操作本体部７２に取り付けた操作ダイヤル部７１を長穴開口２１ａに挿入することにより、操作本体部７２のフランジ部７２３が凸部２１３ａを押圧して、取付片２１３が弾性変形されることで、操作ダイヤル部７１の取付位置への導入を許可する（図６Ａ参照）。取付片２１３は、取付片２１３が弾性変形された状態において、操作本体部７２に取り付けた操作ダイヤル部７１を長穴開口２１ａに沿ってスライドさせて、操作ダイヤル部７１の取付位置において弾性復帰することで、凸部２１３ａが基板部２１１よりも上方に突出する位置に復帰する（図６Ｂ参照）。これにより、取付片２１３の凸部２１３ａは、操作本体部７２におけるフランジ部７２３の取付片２１３側への移動を規制する。よって、取付片２１３の凸部２１３ａは、操作ダイヤル部７１における取り外し方向への移動を規制する。
【００４７】
操作ダイヤル部７１をベースプレート２０の操作ダイヤル取付部２１に取り付けた状態においては、操作ダイヤル部７１は、ベースプレート２０の下方に配置される。そのため、操作ダイヤル部７１は、外部から視認しづらい位置に配置される。ベースプレート２０の下方に配置された操作ダイヤル部７１は、ベースプレート２０の下方において、使用者により操作される。
【００４８】
次に、操作ダイヤル部７１をベースプレート２０に取り付ける手順について説明する。
まず、タンクカバー５０をベースプレート２０に取り付けていない状態で、作業者は、図５に示すように、操作本体部７２に取り付けられた操作ダイヤル部７１を下方に配置した状態で、ベースプレート２０の上方側から、枠壁２１２の上方側移動規制部２１２ａが形成されていない部分において、長穴開口２１ａに挿入する。
【００４９】
この状態においては、図６Ａに示すように、操作本体部７２のフランジ部７２３は、枠壁２１２の開放側において、取付片２１３の凸部２１３ａを押圧する。これにより、取付片２１３の自由端が下方側に押圧され、取付片２１３は、弾性変形する。そして、操作本体部７２のフランジ部７２３は、基板部２１１における長穴開口２１ａの周縁に当接する。
【００５０】
そして、この状態から、図６Ｂに示すように、操作本体部７２及び操作ダイヤル部７１を一体として、枠壁２１２の開放側と反対側にスライドさせる。これにより、操作本体部７２のフランジ部７２３は、枠壁２１２の上方側移動規制部２１２ａの下方の隙間２１２ｂ（図５参照）まで移動する。
【００５１】
枠壁２１２の上方側移動規制部２１２ａにより、操作本体部７２のフランジ部７２３は、上方側への移動が規制される。同時に、取付片２１３が弾性復帰して、取付片２１３の凸部２１３ａにより、操作本体部７２のフランジ部７２３は、取り外し方向側への移動が規制される。
このようにして、操作ダイヤル部７１を長穴開口２１ａに挿入して、操作ダイヤル部７１をスライドさせるだけで、操作ダイヤル部７１を簡単にベースプレート２０に取り付けることができる共に、操作ダイヤル部７１をベースプレート２０の操作ダイヤル取付部２１に固定することができる。
【００５２】
その後、図２に示すように、タンクカバー５０を、洗浄水タンク３０を覆うように、洗浄水タンク３０に被せて、タンクカバー５０の下端部をベースプレート２０に取り付ける。そして、吐水管固定部４３、手洗い吐水管４２、吐水管クリップ４４を取り付ける。また、洗浄操作レバーハンドル８１を洗浄操作部８２に取り付ける。
【００５３】
従来、操作ダイヤル部７１は、タンクカバー５０の側面に取り付けられていた。詳細には、操作ダイヤル部７１をタンクカバー５０の側面に取り付ける場合には、タンクカバー５０を洗浄水タンク３０に被せた後に、タンクカバー５０の側面に操作ダイヤル部７１を取り付ける作業を行っていた。タンクカバー５０を洗浄水タンク３０に被せた後においては、操作ダイヤル部７１を取り付ける際の作業スペースが狭くなり易い。
【００５４】
しかし、本発明によれば、タンクカバー５０を取り付ける前に、操作ダイヤル部７１をベースプレート２０に取り付けることができる。そのため、操作ダイヤル部７１を簡単に設置することができる。
特に、タンクカバー５０が、手洗いボウル部４１と一体的に成形されて形成される場合には、タンクカバー５０の上方側は、塞がれている。そのため、タンクカバー５０を取り付ける前に、操作ダイヤル部７１をベースプレート２０に取り付けることができる本発明の効果は大きい。
【００５５】
また、ベースプレート２０の下方側に操作ダイヤル部７１を設けるため、操作ダイヤル部７１は、外部から視認しづらい位置に配置される。そのため、従来のようにタンクカバー５０の側面に操作ダイヤル部７１を配置する場合よりも、意匠性が向上される。
なお、本実施形態では、操作ダイヤル部７１の設置位置は、外部から視認しづらい位置である。そのため、操作ダイヤル部７１の設置位置について、注意書きラベルに記載して便器洗浄装置１００に貼り付けたり、取扱説明書に記載しておくことで、使用者に知らせることができる。
【００５６】
以上説明した本実施形態の便器洗浄装置１００によれば、以下のような効果を奏する。
便器洗浄装置１００を、便器本体１１と、便器本体１１の後方の上面に取り付けられるベースプレート２０と、ベースプレート２０に配置される洗浄水タンク３０と、洗浄水タンク３０を覆うタンクカバー５０と、洗浄水を給水する給水流路部と、給水流路部に設けられ、給水流路部を流通する水の流れを調整する水流調整機構と、水流調整機構を操作する操作ダイヤル部７１と、を備え、ベースプレート２０は、洗浄水タンク３０が配置される部分（タンク配置部）と、操作ダイヤル部７１がベースプレート２０の下方に位置するように取り付けられる操作ダイヤル取付部２１と、を有するように構成した。
そのため、操作ダイヤル部７１は、ベースプレート２０の下方に位置するため、外部から視認しづらい位置に配置される。これにより、意匠性を向上させることができる。
【００５７】
ベースプレート２０は、操作ダイヤル取付部２１とタンク配置部２３とを区画する区画部２２を有する。そのため、操作ダイヤル取付部２１は、ベースプレート２０における洗浄水タンク３０が配置される部分（タンク配置部）２３とは区画された区画部２２に配置される。これにより、操作ダイヤル取付部２１は、洗浄水タンク３０からの水の影響を受け難い。よって、操作ダイヤル部７１が水に濡れることを抑制できる。
【００５８】
操作ダイヤル取付部２１は、弾性変形することで取付位置への操作ダイヤル部７１の導入を許可する取付片２１３であって、取付位置において弾性復帰することで操作ダイヤル部７１における取り外し方向への移動を規制する取付片２１３を有する。
これにより、操作ダイヤル部７１を、工具なしで、操作ダイヤル取付部２１に簡単に取り付けることができると共に、取付位置において操作ダイヤル部７１を固定できる。
また、操作ダイヤル部７１を、工具なしで、操作ダイヤル取付部２１から簡単に取り外すことができる。
【００５９】
タンクカバー５０は、上部に形成される手洗いボウル部４１と一体的に成形されており、操作ダイヤル部７１をベースプレート２０に取り付ける第１工程と、第１工程の後に、タンクカバー５０をベースプレート２０に取り付ける第２工程と、を備える。
これにより、タンクカバー５０を取り付ける前に、操作ダイヤル部７１をベースプレート２０に取り付けることができる。そのため、操作ダイヤル部７１を簡単に設置することができる。
特に、タンクカバー５０が手洗いボウル部４１と一体的に成形されて形成されているため、タンクカバー５０の上方側は、塞がれている。そのため、タンクカバー５０を取り付ける前に、操作ダイヤル部７１をベースプレート２０に取り付けることができる本発明の効果は大きい。
【００６０】
［第２実施形態］
以下、本発明の便器洗浄装置１００Ａの第２実施形態について、図面を参照しながら説明する。以下の説明においては、便器洗浄装置１の便座（不図示）に座った人から視た場合の前後の向きを前後方向とする。また、一対の側部カバー８ｂ，８ｂが離間する方向を左右方向とする。また、側部カバー８ｂから上部カバー８ａへ向かう方向（図７の上方向）を上方向とし、その反対方向を下方向とし、これらを上下方向とする。まず、本発明の一実施形態に係る便器洗浄装置１００Ａの全体構成について、図７及び図８を参照しながら説明する。
【００６１】
本実施形態の便器洗浄装置１００Ａは、図７及び図８に示すように、便器２と、ベースプレート３と、洗浄水タンク４と、操作ダイヤル部７（操作部）を有する水流調整機構６と、上部カバー８ａ（タンクカバー）と、一対の側部カバー８ｂ，８ｂと、を備える。
【００６２】
便器２は、便器本体２ａと、便座（不図示）及び便蓋２ｂと、を含んで構成される。便座（不図示）及び便蓋２ｂは、便器本体２ａの上部に、便器本体２ａに対して回動可能に取り付けられる。
【００６３】
ベースプレート３は、図８に示すように、便器本体２ａの後方の上面に取り付けられる。ベースプレート３の上方には、洗浄水タンク４が配置される。ベースプレート３には、水流調整機構６が取り付けられている。
【００６４】
水流調整機構６は、ベースプレート３に取り付けられ、給水流路部５１０（後述）の分岐流路部５１２を流通する水の流れを調整可能である。
水流調整機構６は、操作ダイヤル部７を有する。操作ダイヤル部７は、水流調整機構６の下方側に配置され、ベースプレート３の下方に突出するように配置される。操作ダイヤル部７は、水流調整機構６における補給水の量を操作可能である。
【００６５】
洗浄水タンク４は、ベースプレート３の上方において、便器２の後方かつ上方に配置され、便器本体２ａを洗浄する洗浄水を貯留する。この洗浄水タンク４は、図８に示すように、上面が開口したタンク本体４０１と、このタンク本体４０１の上面に配置され、タンク本体４０１の上面を覆う蓋部４０２と、を備える。
【００６６】
洗浄水タンク４は、洗浄水タンク４の後端部から前方側に窪むタンク凹部４０５を有する。タンク凹部４０５は、洗浄水タンク４の上下方向の全域に亘って形成されている。タンク凹部４０５は、洗浄水タンク４の左右方向の中央から一方側（図８における左側）にずれた位置に形成される。タンク凹部４０５は、第１壁部４０５ａと、第２壁部４０５ｂと、第３壁部４０５ｃと、により構成される。
【００６７】
第１壁部４０５ａは、洗浄水タンク４の左右方向の一方側（図８における左側）を向く面であり、洗浄水タンク４の前後方向及び上下方向に沿う方向に延びる。第２壁部４０５ｂは、第１壁部４０５ａよりも洗浄水タンク４の左右方向の一方側（図８における左側）において、第１壁部４０５ａに平行に第１壁部４０５ａに対向して配置される。第２壁部４０５ｂは、洗浄水タンク４の左右方向の他方側（図８における右側）を向く面であり、洗浄水タンク４の前後方向及び上下方向に沿う方向に延びる。第３壁部４０５ｃは、第１壁部４０５ａ及び第２壁部４０５ｂの前方側の端辺をつないで形成される。第３壁部４０５ｃは、洗浄水タンク４の前後方向の後方側（図８における手前側）を向く面であり、洗浄水タンク４の左右方向及び上下方向に沿う方向に延びる。
【００６８】
洗浄水タンク４の内部には、図８に示すように、給水部５が配置される。給水部５には、給水流路部５１０が接続される。給水流路部５１０は、給水部５から洗浄水を洗浄水タンク４に供給する。給水部５には、外部の給水源（図示せず）に接続される給水管５０１が接続されている。
【００６９】
給水流路部５１０は、主流路部５１１と、分岐流路部５１２と、を有する。
主流路部５１１は、洗浄水タンク４の内部を通る。主流路部５１１は、給水部５から給水された洗浄水を、洗浄水タンク４に供給する。
分岐流路部５１２は、主流路部５１１から分岐して、洗浄水タンク４の外部を通る。分岐流路部５１２は、給水部５から給水された洗浄水を、便器本体２ａに補給する補給水として、洗浄水タンク４の外部において、ベースプレート３に吐出する。分岐流路部５１２は、下流側の端部において、後述する補給水吐水部６１３ａ（図１４参照）を有する。
【００７０】
また、タンク本体４０１の下部には、フロート弁（図示せず）により開閉される排水口（図示せず）が形成されている。タンク本体４０１の排水口（図示せず）は、下方に突出して形成される。そして、フロート弁を引き上げて排水口を開放することにより、タンク本体４０１の内部に貯留された洗浄水が排水口から流出して便器本体２ａに供給され、便器本体２ａが洗浄される。
また、タンク本体４０１の排水口（図示せず）には、後述するディストリビュータ４１０（図１１参照）が接続されている。
【００７１】
上部カバー８ａは、図７に示すように、洗浄水タンク４及び他の機能部品を覆うように形成される。
一対の側部カバー８ｂ，８ｂは、便器本体２ａの後方の左右方向の両側の側部を塞ぐように形成される。一対の側部カバー８ｂ，８ｂの形状は、便器本体２ａの左右方向において対称の形状である。
【００７２】
次に、各構成について詳細に説明する。
図９及び図１０に示すように、ベースプレート３は、底板部３１０と、上部周壁３２１と、一対の下部側縁壁部３２２，３２２と、延出板部３３０と、２つの載置枠部３４１ａ，３４１ｂと、２つの取付係合部３４２，３４２と、導出管挿通開口部３５０と、第１導出開口部（補給水排出開口部）３６１と、第２導出開口部３６２と、水流調整機構取付部３７０（取付部）と、２つの第１環状リブ３８１，３８１と、第２環状リブ３８２と、を有する。
【００７３】
底板部３１０は、図９及び図１０に示すように、左右方向に延びる板状に形成されている。底板部３１０は、図９に示すように、上面側において、第１導出傾斜面部３１１と、第２導出傾斜面部３１２と、中間板面部３１３と、を有する。中間板面部３１３は、略水平方向に広がるように形成され、底板部３１０の左右方向の略中央に配置される。第１導出傾斜面部３１１及び第２導出傾斜面部３１２は、中間板面部３１３を挟んで、左右方向に離間して配置されている。
【００７４】
第１導出傾斜面部３１１は、底板部３１０における中間板面部３１３の一方側（図９における左側）に配置される。第１導出傾斜面部３１１は、後述する第１導出開口部３６１に向かうに従って下方に傾斜する面状に形成される。第１導出傾斜面部３１１には、水流調整機構６の補給水吐水部６１３ａ（後述）から吐出され且つベースプレート３に一旦供給された補給水が第１導出開口部３６１に向かって流れる。
【００７５】
第２導出傾斜面部３１２は、底板部３１０における中間板面部３１３の他方側（図９における右側）に配置される。第２導出傾斜面部３１２は、後述する第２導出開口部３６２に向かうに従って下方に傾斜する面状に形成される。第２導出傾斜面部３１２には、例えば、洗浄水タンク４の外面に付着して洗浄水タンク４の表面を伝わって落下した結露水や、温水タンク（図示せず）に供給する水の圧力が上がり過ぎるのを防ぐためにリリースされたリリース水が、第２導出開口部３６２に向かって流れる。
【００７６】
上部周壁３２１は、図９に示すように、底板部３１０の上面の周縁から上方に向かって延びると共に、ベースプレート３の周囲を全周に亘って囲むように延びている。
一対の下部側縁壁部３２２，３２２は、図１０に示すように、底板部３１０の下面の左右方向の両側の縁部から下方に向かって延びると共に、ベースプレート３の前後方向に延びている。
【００７７】
延出板部３３０は、図９に示すように、略水平方向に広がる板状に形成され、ベースプレート３の前方側に延出して形成される。
【００７８】
導出管挿通開口部３５０は、ベースプレート３の左右方向の略中央に形成される。導出管挿通開口部３５０は、ベースプレート３の底板部３１０を円形状に貫通して形成される。導出管挿通開口部３５０には、タンク本体４０１の排水口（図示せず）が挿通される。
【００７９】
ディストリビュータ４１０（導出管）は、図１１に示すように、ベースプレート３の下方において、便器本体２ａの後方の上部に配置される。ディストリビュータ４１０は、洗浄水タンク４に貯留された洗浄水を便器本体２ａに導出する。ディストリビュータ４１０は、洗浄水タンク４の下部の排水口（図示せず）に接続される基端部４１１と、基端部４１１から左右方向に分岐して延びる２本の分岐ホース４１２，４１２と、を有する。
【００８０】
ディストリビュータ４１０の基端部４１１は、導出管挿通開口部３５０に挿通された洗浄水タンク４の下部の排水口（図示せず）に接続される。ディストリビュータ４１０の２本の分岐ホース４１２，４１２は、それぞれ、便器本体２ａの２つの導水供給路（図示せず）に配置される。便器本体２ａの２つの導水供給路（図示せず）は、それぞれ、便器本体２ａの左右方向の外側において、便器本体２ａの後方から前方に向かうように、便器本体２ａの内部に延びている。２本の分岐ホース４１２，４１２は、導出管挿通開口部３５０の左右方向の両側から、それぞれ、便器本体２ａの後方から前方に向かうに従って、便器本体２ａの左右方向の外側に向かうように延びている。
洗浄水タンク４の排水口（図示せず）から排出された洗浄水は、ディストリビュータ４１０を経由して、便器本体２ａの内部に排出される。これにより、便器本体２ａの洗浄が実行される。
【００８１】
第１導出開口部３６１は、図９に示すように、第１導出傾斜面部３１１の前方側において、第１導出傾斜面部３１１と中間板面部３１３との境界に形成される。第１導出開口部３６１は、底板部３１０を貫通して形成される。第１導出開口部３６１は、ベースプレート３に供給された補給水を、ベースプレート３の下方に配置される便器本体２ａに排出する。
【００８２】
第１導出開口部３６１から排出された補給水は、便器本体２ａに供給され、便器本体２ａの内部の排水トラップ部分（図示せず）に供給される。例えばサイフォン式便器及び洗い落とし式便器において、洗浄水タンク４の外部を通して分岐流路部５１２を流通された補給水を、ベースプレート３を介して便器本体２ａの内部の排水トラップ部分（図示せず）に供給する。これにより、便器洗浄装置を設置する現場の配管状況などにより排水トラップ部分での封水の不足が生じる場合において、排水トラップ部分での封水の不足を防止することができる。
【００８３】
第２導出開口部３６２は、図９に示すように、第２導出傾斜面部３１２の前方側において、第２導出傾斜面部３１２と中間板面部３１３との境界に形成される。第２導出開口部３６２は、底板部３１０を貫通して形成される。第２導出開口部３６２は、ベースプレート３で受け止めた水を、ベースプレート３の下方に配置される便器本体２ａに排出する。
【００８４】
第１導出開口部３６１及び第２導出開口部３６２は、それぞれ、図１１に示すように、便器本体２ａを前後方向に視たときに、導出管挿通開口部３５０の少なくとも一部３５１，３５２に重なる位置に配置される。言い換えると、第１導出開口部３６１及び第２導出開口部３６２は、導出管挿通開口部３５０寄りに配置されている。本実施形態においては、導出管挿通開口部３５０がベースプレート３の略中央に配置されているため、第１導出開口部３６１及び第２導出開口部３６２は、ベースプレート３の左右方向の中央寄りに配置される。これにより、第１導出開口部３６１及び第２導出開口部３６２は、ディストリビュータ４１０の２本の分岐ホース４１２，４１２を避けた位置に配置される。
【００８５】
２つの載置枠部３４１ａ，３４１ｂは、図９に示すように、底板部３１０の上面に形成される。一方の載置枠部３４１ａは、第１導出傾斜面部３１１に配置される。他方の載置枠部３４１ｂは、第２導出傾斜面部３１２に配置される。２つの載置枠部３４１ａ，３４１ｂには、洗浄水タンク４の底部に形成される載置凸部（図示せず）が載置される。２つの載置枠部３４１ａ，３４１ｂに洗浄水タンク４の底部の載置凸部（図示せず）が載置されることで、洗浄水タンク４は、ベースプレート３の上面との間に上下方向に隙間を形成した状態で、ベースプレート３の上面に配置される。
【００８６】
２つの取付係合部３４２は、図９に示すように、底板部３１０の上面における導出管挿通開口部３５０の左右方向の両側の近傍に形成される。２つの取付係合部３４２には、洗浄水タンク４をベースプレート３に取り付ける際に、洗浄水タンク４の底部に形成される係合部（図示せず）が係合される。
【００８７】
２つの第１環状リブ３８１，３８１は、図１０に示すように、底板部３１０の下面に形成される。２つの第１環状リブ３８１，３８１は、それぞれ、第１導出開口部３６１及び第２導出開口部３６２それぞれの周縁に沿って、第１導出開口部３６１及び第２導出開口部３６２を囲むように、底板部３１０の下面から下方に立ち上がるように形成される。２つの第１環状リブ３８１，３８１は、それぞれ、第１導出開口部３６１及び第２導出開口部３６２それぞれの周縁の全域に設けられる。
【００８８】
第２環状リブ３８２は、底板部３１０の下面に形成される。第２環状リブ３８２は、２つの第１環状リブ３８１，３８１の外側において、２つの第１環状リブ３８１，３８１の両方を囲むように、底板部３１０の下面から下方に立ち上がるように形成される。
【００８９】
水流調整機構取付部３７０は、図９に示すように、ベースプレート３の後方側の一方側（図９における左側）に配置される。水流調整機構取付部３７０には、水流調整機構６が取り付けられる。水流調整機構取付部３７０には、水流調整機構６の操作ダイヤル部７がベースプレート３の下方に位置するように取り付けられる。
水流調整機構取付部３７０は、図１２に示すように、貫通開口３７１と、円筒状リブ壁３７２と、側壁３７３と、下面環状凸部３７４（図１０参照）と、を有する。
【００９０】
貫通開口３７１は、ベースプレート３の底板部３１０を円形状に開口して形成される。貫通開口３７１には、後述する水流調整機構６が挿通して配置される。
円筒状リブ壁３７２は、円筒状に形成され、貫通開口３７１の周縁に沿って、ベースプレート３の底板部３１０の上面から上方に立ち上がるように形成される。円筒状リブ壁３７２の上端部には、水流調整機構６（後述）の操作機構本体部６１０の方形筒部６１１ｂ（図１４参照）の下面が当接する。
【００９１】
側壁３７３は、ベースプレート３の底板部３１０から上方に立ち上がるように形成されると共に、前後方向に延びるように形成される。側壁３７３は、円筒状リブ壁３７２の接線に沿う平板状に形成される。側壁３７３は、円筒状リブ壁３７２の他方側（図１２における右側）に接続される。側壁３７３の上端部には、半円弧状に窪む凹部３７３ａが形成されている。凹部３７３ａには、水流調整機構６（後述）の操作機構本体部６１０の導出管部６１３（図１４参照）が配置される。
【００９２】
下面環状凸部３７４は、図１０に示すように、底板部３１０の下面において、貫通開口３７１の周縁に形成される。下面環状凸部３７４は、水流調整機構６の操作ダイヤル部７がベースプレート３に取り付けられた際に、ベースプレート３の底板部３１０が傾斜していることの影響により操作ダイヤル部７が傾かないように、底板部３１０の下面における貫通開口３７１の周縁が水平になるように突出して形成される。下面環状凸部３７４は、図１０に示すように、底板部３１０の下面における貫通開口３７１の周縁において、下面環状凸部３７４の下面が水平になるように、第１導出開口部３６１から離れるに従って突出量が徐々に大きくなるように突出して形成される。
下面環状凸部３７４には、後述する操作ダイヤル部７の上部に配置されるフランジ部７３０の上面の外周縁が対向して配置される（図１５参照）。
【００９３】
水流調整機構６は、図１３〜図１５に示すように、分岐流路部５１２に配置される。水流調整機構６は、分岐流路部５１２を流通する水の流れを調整する。
分岐流路部５１２は、図１４及び図１５に示すように、主流路部５１１との接続部分から水流調整機構６までの第１分岐流路部５１２ａと、水流調整機構６の内部を通り補給水吐水部６１３ａまでの第２分岐流路部５１２ｂと、を有する。本実施形態においては、第１分岐流路部５１２ａは、例えば、ホースで構成される。
【００９４】
水流調整機構６は、図１３〜図１６に示すように、ベースプレート３の水流調整機構取付部３７０に取り付けられる。水流調整機構６は、操作機構本体部６１０と、操作部としての操作ダイヤル部７と、ストップリング６２０と、水流抑制部６３０と、を備える。
【００９５】
操作機構本体部６１０は、図１５及び図１６に示すように、ベースプレート３の上方において、水流調整機構取付部３７０に取り付けられる。操作機構本体部６１０は、本体管部６１１と、導入管部６１２と、導出管部６１３と、を有する。
【００９６】
本体管部６１１は、上下方向に延びる筒状に形成され、上部側が閉止されると共に、上部側の側部の両側が開放される。本体管部６１１は、上部円筒部６１１ａと、方形筒部６１１ｂと、下部円筒部６１１ｄと、を有する。上部円筒部６１１ａ、方形筒部６１１ｂ及び下部円筒部６１１ｄは、互いの内部空間が、上下方向に連通する。
【００９７】
上部円筒部６１１ａは、本体管部６１１の上部に配置され、上部が閉止された円筒状に形成される。上部円筒部６１１ａの上部の側部の一方側（図１５における左側）には、導入管部６１２が接続されている。上部円筒部６１１ａの上部の側部の他方側（図１５における右側）には、導出管部６１３が接続されている。導入管部６１２、上部円筒部６１１ａ及び導出管部６１３は、互いの内部空間が、左右方向に連通する。導入管部６１２、上部円筒部６１１ａ及び導出管部６１３における左右方向に連通する部分は、第２分岐流路部５１２ｂを構成する。
【００９８】
方形筒部６１１ｂは、外形が略直方体形状に形成される。方形筒部６１１ｂは、上部円筒部６１１ａの下端部に接続され、本体管部６１１の上下方向の途中において、外方に突出するように形成される。方形筒部６１１ｂの下端部は、水流調整機構取付部３７０の円筒状リブ壁３７２の上端部に当接する。方形筒部６１１ｂの内部には、一対の方形貫通溝６１１ｃ，６１１ｃが形成される。一対の方形貫通溝６１１ｃ，６１１ｃは、便器本体２ａの前後方向に方形状に貫通する溝状に形成される。方形貫通溝６１１ｃ，６１１ｃには、ストップリング６２０が挿入される。
【００９９】
下部円筒部６１１ｄは、円筒状に形成される。下部円筒部６１１ｄは、方形筒部６１１ｂの下端部に接続され、本体管部６１１の下部に配置される。下部円筒部６１１ｄは、水流調整機構取付部３７０の円筒状リブ壁３７２の内部空間に配置される。下部円筒部６１１ｄの外周面には、第１Ｏリング６４１が配置される外周止水用溝６１１ｅが形成される。
【０１００】
外周止水用溝６１１ｅには、第１Ｏリング６４１が配置される。第１Ｏリング６４１は、外周止水用溝６１１ｅに配置された状態で、本体管部６１１と水流調整機構取付部３７０の円筒状リブ壁３７２との間に配置される。これにより、第１Ｏリング６４１は、操作機構本体部６１０とベースプレート３との間を止水する。
【０１０１】
導入管部６１２は、本体管部６１１の上端部の一方の側部に接続され、本体管部６１１の上端部の一方の側部から上方側に屈曲し、屈曲した部分から上方側に所定長さ延びる。導入管部６１２の上端部は、第１分岐流路部５１２ａに接続される。
【０１０２】
導出管部６１３は、本体管部６１１の上端部の他方の側部に接続され、本体管部６１１の上端部の他方の側部から水平方向に所定長さ延びる。導出管部６１３の先端には、吐水部としての補給水吐水部６１３ａが設けられる。別の言い方をすると、補給水吐水部６１３ａは、分岐流路部５１２（第２分岐流路部５１２ｂ）の先端に設けられる。
【０１０３】
補給水吐水部６１３ａは、洗浄水タンク４の外部において、分岐流路部５１２を流通する洗浄水を、便器本体２ａに供給する補給水として吐出する。本実施形態においては、補給水吐水部６１３ａは、ベースプレート３に補給水を吐出する。補給水吐水部６１３ａからは、水流調整機構６により調整された水量の補給水が吐出される。補給水吐水部６１３ａは、ベースプレート３の底板部３１０から上方に離間した操作機構本体部６１０の上方側の位置において、底板部３１０に沿う方向に、補給水を吐出する。本実施形態においては、補給水吐水部６１３ａは、ベースプレート３の底板部３１０から上方に離間した位置で、便器本体２ａの左右方向の他方側（図１５における右側）に、略水平方向に、補給水を吐出する。導出管部６１３の補給水吐水部６１３ａの上端部からは、後述する水流抑制部６３０の屋根壁部６３２が水平方向（左右方向）に延びている。
【０１０４】
操作ダイヤル部７は、図１５及び図１６に示すように、上方側の部分（後述する流量調整筒部７１０）が操作機構本体部６１０の本体管部６１１の内部に配置され、本体管部６１１の周方向に回転可能に配置される。操作ダイヤル部７は、水流調整機構６を操作することができ、水流調整機構６を操作することで、分岐流路部５１２を流通する水の流れを調整することができる。操作ダイヤル部７は、洗浄水タンク４の外部において、ベースプレート３の下方から突出するように、ベースプレート３に取り付けられる。操作ダイヤル部７は、上下方向に延びて形成され、上部が閉止された筒状に形成される。
【０１０５】
操作ダイヤル部７は、流量調整筒部７１０と、流量調整筒部７１０の下方に配置された操作把持部７２０と、操作ダイヤル部７の外周面から突出するフランジ部７３０と、を有する。
【０１０６】
流量調整筒部７１０は、操作ダイヤル部７の上部に配置される。流量調整筒部７１０は、操作機構本体部６１０における上部円筒部６１１ａ及び方形筒部６１１ｂの内部空間に亘って上下方向に延びて配置される。
流量調整筒部７１０は、流量調整貫通穴７１１と、第１内周止水用溝７１２と、第２内周止水用溝７１３と、ストップリング係止溝７１４と、導入部側止水環状突起７１５ａと、導出部側止水環状突起７１５ｂと、を有する。
【０１０７】
流量調整貫通穴７１１は、流量調整筒部７１０の上部において水平方向に延びて貫通する。流量調整貫通穴７１１は、操作ダイヤル部７が回転されることで、流量調整貫通穴７１１が導入管部６１２及び導出管部６１３を連通する連通位置（図示せず）と連通しない非連通位置（図１５参照）との間を、補給水の流量を調整するように回転可能である。
【０１０８】
流量調整貫通穴７１１の連通位置（図示せず）は、流量調整貫通穴７１１が延びる方向と導入管部６１２及び導出管部６１３をつなぐ方向とが一致する位置である。
流量調整貫通穴７１１の非連通位置（図１５参照）は、流量調整貫通穴７１１が延びる方向と導入管部６１２及び導出管部６１３をつなぐ方向とが直交する位置である。
流量調整貫通穴７１１は、連通位置と非連通位置との間を回転して移動することで、回転角度により開口面積が変化される。これにより、流量調整貫通穴７１１は、導入管部６１２から導入された補給水の流量が連続的に変化するように調整して、導出管部６１３から導出することができる。
【０１０９】
なお、操作ダイヤル部７を、補給水の流量を段階的に調整可能に構成してもよい。例えば、操作ダイヤル部７の外面に凹凸などを設けて、操作ダイヤル部７の回転位置を補給水の流量に応じて複数箇所で引っ掛かるように構成して、操作ダイヤル部７を回転させる際の凹凸に引っ掛かる際の音や手の感覚などにより、補給水の流量を設定できるように構成してもよい。
【０１１０】
導入部側止水環状突起７１５ａは、図１５及び図１６に示すように、流量調整貫通穴７１１が非連通位置に位置する場合において、本体管部６１１の内面における導入管部６１２との接続部分の開口の周縁に当接する位置に配置され、流量調整筒部７１０の外面から環状に突出して形成される。導入部側止水環状突起７１５ａは、流量調整貫通穴７１１が非連通位置に位置する場合において、本体管部６１１の内面における導入管部６１２との接続部分の開口の周縁に当接して、導入管部６１２から本体管部６１１側へ補給水を流通させないように止水する。
【０１１１】
導出部側止水環状突起７１５ｂは、図１５及び図１６に示すように、流量調整貫通穴７１１が非連通位置に位置する場合において、本体管部６１１の内面における導出管部６１３との接続部分の開口の周縁に当接する位置に配置され、流量調整筒部７１０の外面から環状に突出して形成される。導出部側止水環状突起７１５ｂは、流量調整貫通穴７１１が非連通位置に位置する場合において、本体管部６１１の内面における導出管部６１３との接続部分の開口の周縁に当接して、本体管部６１１から導入管部６１２側へ補給水を流通させないように止水する。
【０１１２】
第１内周止水用溝７１２、第２内周止水用溝７１３及びストップリング係止溝７１４は、それぞれ、流量調整筒部７１０の外周面において、流量調整筒部７１０の外周面の周方向に沿って溝状に形成される。
【０１１３】
ストップリング係止溝７１４は、図１５に示すように、流量調整筒部７１０の上下方向の略中央に形成される。ストップリング係止溝７１４には、操作ダイヤル部７が操作機構本体部６１０の本体管部６１１の内部空間に配置された状態において、ストップリング６２０が配置される。ストップリング６２０は、操作ダイヤル部７を操作機構本体部６１０に固定する。
【０１１４】
第１内周止水用溝７１２は、流量調整筒部７１０におけるストップリング係止溝７１４よりも下方側に形成される。第１内周止水用溝７１２には、第２Ｏリング７４１が配置される。第２Ｏリング７４１は、第１内周止水用溝７１２に配置された状態で、操作機構本体部６１０の本体管部６１１と流量調整筒部７１０との間に配置される。これにより、第２Ｏリング７４１は、流量調整筒部７１０の下方側において、操作機構本体部６１０の本体管部６１１と流量調整筒部７１０との間を止水する。
【０１１５】
第２内周止水用溝７１３は、流量調整筒部７１０におけるストップリング係止溝７１４よりも上方側に形成される。第２内周止水用溝７１３には、第３Ｏリング７４２が配置される。第３Ｏリング７４２は、第２内周止水用溝７１３に配置された状態で、操作機構本体部６１０の本体管部６１１と流量調整筒部７１０との間に配置される。これにより、第３Ｏリング７４２は、流量調整筒部７１０における流量調整貫通穴７１１とストップリング係止溝７１４との間において、操作機構本体部６１０の本体管部６１１と流量調整筒部７１０との間を止水する。
【０１１６】
操作把持部７２０は、図１５及び図１６に示すように、流量調整筒部７１０の下端部に接続され、流量調整筒部７１０から下方に向けて延びて形成される。操作把持部７２０は、略方形筒状に形成され、上下方向に貫通する。流量調整筒部７１０及び操作把持部７２０は、上下方向に直線状に連続して形成され、互いの内部空間は上下方向に連通している。
【０１１７】
フランジ部７３０は、流量調整筒部７１０と操作把持部７２０との境界部分の外周面から突出して形成され、略水平方向に広がる円環状の板状に形成される。フランジ部７３０の上面の外周縁は、ベースプレート３の底板部３１０の下面における貫通開口３７１の周縁において、底板部３１０の下面環状凸部３７４に対向して配置される。フランジ部７３０は、底板部３１０の下面環状凸部３７４に対向して配置されることで、水平状態を維持することができる。これにより、フランジ部７３０が傾くことが低減されて、操作ダイヤル部７のガタツキを低減することができる。
【０１１８】
ストップリング６２０は、図１６に示すように、基部６２１と、リング係止部６２２と、を有する。基部６２１は、手で把持される部分である。リング係止部６２２は、略Ｃ字形状に形成される。リング係止部６２２の閉止端は、基部６２１に接続される。リング係止部６２２の開放端は、操作ダイヤル部７が操作機構本体部６１０の本体管部６１１の内部に配置された状態において、図１５に示すように、操作ダイヤル部７のストップリング係止溝７１４に配置される。これにより、ストップリング６２０は、操作ダイヤル部７を操作機構本体部６１０に固定する。
【０１１９】
水流抑制部６３０は、導出管部６１３の補給水吐水部６１３ａから吐出された補給水の勢いを弱めて、補給水吐水部６１３ａから吐出された補給水の勢いを抑制する。水流抑制部６３０は、図１４〜図１６に示すように、対向壁部６３１と、屋根壁部６３２と、を有する。
【０１２０】
対向壁部６３１は、ベースプレート３の底板部３１０から上方に立ち上がるように形成され、導出管部６１３の補給水吐水部６１３ａに対向して配置される。対向壁部６３１は、補給水吐水部６１３ａから吐出された補給水を受ける。対向壁部６３１は、一方側がベースプレート３の後方側の上部周壁３２１に接続され、他方側がベースプレート３の内側に向けて延びる。対向壁部６３１の上部には、円弧状に突出する円弧状突起６３１ａが形成される。
【０１２１】
屋根壁部６３２は、操作機構本体部６１０の導出管部６１３に連続して形成される。屋根壁部６３２は、導出管部６１３の補給水吐水部６１３ａの吐水口の上部から、導出管部６１３から離れるように、対向壁部６３１側に略水平方向に延びる。屋根壁部６３２は、円弧状部６３２ａと、平板状部６３２ｂ，６３２ｂと、を有する。
【０１２２】
円弧状部６３２ａは、前後方向の断面が上方に突出する円弧状に形成され、導出管部６１３の補給水吐水部６１３ａの上端部から、対向壁部６３１に向かって直線状に延びる。
平板状部６３２ｂ，６３２ｂは、円弧状部６３２ａの前後方向の両縁部に沿って略水平に形成され、対向壁部６３１に向かって延びる。
【０１２３】
以上のように構成される水流抑制部６３０は、対向壁部６３１により、導出管部６１３の補給水吐水部６１３ａから吐出された補給水の勢いを弱めると共に、屋根壁部６３２により、上方側への補給水の飛散を抑制して、補給水の勢いを抑制することができる。
【０１２４】
次に、水流調整機構６をベースプレート３に取り付ける手順について説明する。
まず、図８に示すように、上部カバー８ａをベースプレート３に取り付けていない状態で、作業者は、図１６に示すように、ベースプレート３の上方側から、水流調整機構６の操作機構本体部６１０を、ベースプレート３の水流調整機構取付部３７０の円筒状リブ壁３７２に挿入して、方形筒部６１１ｂの下端部を、水流調整機構取付部３７０の円筒状リブ壁３７２の上端部に当接させる。
【０１２５】
次に、ベースプレート３の下方側から、操作機構本体部６１０の内部に操作ダイヤル部７を挿入する。
続けて、ストップリング６２０を、流量調整筒部７１０のストップリング係止溝７１４に挿入して、ストップリング６２０により、操作ダイヤル部７を操作機構本体部６１０に固定する。
そして、第１分岐流路部５１２ａの先端部を操作機構本体部６１０の導入管部６１２に取り付ける。
これにより、水流調整機構６をベースプレート３に取り付けることができる。
【０１２６】
このように、ストップリング６２０をベースプレート３の上方側に配置していることで、ベースプレート３の上方側から、水流調整機構６をベースプレート３に組み付けることができる。そのため、水流調整機構６をベースプレート３に組み付ける際の組み付け性が良好である。
【０１２７】
その後、図７に示すように、上部カバー８ａを、洗浄水タンク４を覆うように、洗浄水タンク４に被せて、上部カバー８ａをベースプレート３に取り付ける。
【０１２８】
この状態においては、図８に示すように、水流調整機構６の操作ダイヤル部７は、ベースプレート３の後部において、ベースプレート３の下方から下方に向けて突出している。ベースプレート３の下方に操作ダイヤル部７が配置されているため、ベースプレート３の下方において、施工時の作業者は、操作ダイヤル部７を操作することができる。また、設置後においても、作業者は、上部カバー８ａを外さずに、操作ダイヤル部７を操作することができる。
従って、便器洗浄装置１００Ａから上部カバー８ａを外さなくても、操作ダイヤル部７を操作して、便器本体２ａに補給する補給水の量を調整することができる。
【０１２９】
なお、操作ダイヤル部７は、便器本体２ａに補給する補給水の流量を調整するものであることから、便器洗浄装置１００Ａの施工業者等の作業者が操作できれば十分である。作業者は、例えば、便器洗浄装置１００Ａを設置した際、又は、便器洗浄装置１００Ａを設置した後において、操作ダイヤル部７を操作して、便器本体２ａに補給する補給水の流量を調整する。また、操作ダイヤル部７による補給水の流量の調整は、通常、頻繁に行われるものではなく、一度調整された後には、その調整の設定のままで使用される場合が多い。ただし、便器洗浄装置１００Ａを設置した現場の配管などの状況に応じて、便器洗浄装置１００Ａを設置した際、又は、便器洗浄装置１００Ａを設置した後において、操作ダイヤル部７による補給水の流量の調整が必要となる場合がある。
【０１３０】
また、ベースプレート３の下方に操作ダイヤル部７を設けるため、操作ダイヤル部７は、外部から視認しづらい位置に配置される。そのため、上部カバー８ａの側面に操作ダイヤル部を配置する場合よりも、意匠性が向上される。
【０１３１】
また、操作ダイヤル部７をベースプレート３の水流調整機構取付部３７０に取り付けた状態においては、補給水吐水部６１３ａは、ベースプレート３の底板部３１０から上方に離間した操作機構本体部６１０の上方側の位置において、底板部３１０に沿う方向に、補給水を吐出する。補給水吐水部６１３ａが操作機構本体部６１０の上方側の位置に配置されるため、操作機構本体部６１０の内部空間に配置される操作ダイヤル部７を、上方側の位置に配置できる。これにより、操作ダイヤル部７のベースプレート３の下方への突出量を、小さくすることができる。従って、操作ダイヤル部７を、ベースプレート３の下方に突出し過ぎることなく、コンパクトに配置できる。よって、操作ダイヤル部７を目立ちにくい位置に配置でき、操作ダイヤル部７の誤操作を防止できる。
【０１３２】
以上のように構成される便器洗浄装置１００Ａにおいては、水流調整機構６は、操作ダイヤル部７が回転されることで、流量調整貫通穴７１１の向きを変更して、補給水の流量を調整することができる。具体的には、例えば、作業者は、便器洗浄装置１００Ａを設置した現場の配管などの状況に応じて、操作ダイヤル部７を回転させることで、流量調整貫通穴７１１の開口面積を変化させて、便器本体２ａに補給する補給水の流量を調整することができる。
【０１３３】
そして、便器本体２ａの洗浄時においては、操作ダイヤル部７により流量が調整された補給水が、水流調整機構６の補給水吐水部６１３ａにより吐出されて、一旦ベースプレート３に供給される。補給水として一旦ベースプレート３に供給された補給水は、第１導出傾斜面部３１１を流れて、第１導出開口部３６１を介して、便器本体２ａに排出される。これにより、水流調整機構６により流量が調整された補給水が、便器本体２ａに補給される。
【０１３４】
ここで、本実施形態の便器洗浄装置１００Ａにおいては、水流調整機構６は、ベースプレート３に取り付けられている。また、操作ダイヤル部７は、ベースプレート３に取り付けられている。そのため、水流調整機構６と操作ダイヤル部７とがワイヤーなどの長い接続ケーブルを介して接続される場合よりも、操作ダイヤル部７は、水流調整機構６の操作において、補給水の流量の調整範囲を広く確保することが可能であると共に、補給水の流量の調整を精度よく行うことが可能である。
特に、本実施形態においては、操作ダイヤル部７が水流調整機構６に直接接続された状態で、水流調整機構６は、ベースプレート３に取り付けられている。操作ダイヤル部７が水流調整機構６に直接接続されているため、操作ダイヤル部７は、水流調整機構６の操作において、補給水の流量の調整範囲をより広く確保することが可能であると共に、補給水の流量の調整をより精度よく行うことが可能である。
【０１３５】
また、補給水吐水部６１３ａは、ベースプレート３に沿う方向に補給水を吐出する。補給水吐水部６１３ａから吐出される補給水の勢いを抑制する水流抑制部６３０を備える。水流抑制部６３０は、対向壁部６３１と、屋根壁部６３２と、を有する。そのため、水流抑制部６３０により、補給水吐水部６１３ａから吐出される補給水の勢いを弱めて、補給水吐水部６１３ａから吐出される補給水の勢いを抑制できる。
【０１３６】
また、ベースプレート３の下面において、第１導出開口部３６１を囲むように形成される第１環状リブ３８１と、第１環状リブ３８１を囲むように形成される第２環状リブ３８２と、が形成されている。そのため、ベースプレート３の下面において、第１導出開口部３６１の周囲が二重のリブに囲まれているため、第１導出開口部３６１から便器本体２ａの排出される補給水が周囲に飛び散ることが低減される。
【０１３７】
また、第１導出開口部３６１は、便器本体２ａを前後方向に視たときに、導出管挿通開口部３５０の少なくとも一部３５１，３５２に重なる位置に配置される。そのため、第１導出開口部３６１は、ディストリビュータ４１０の２本の分岐ホース４１２，４１２を避けた位置に配置されている。よって、第１導出開口部３６１から排出される補給水は、ディストリビュータ４１０に当たることが抑制されるため、補給水がディストリビュータ４１０に当たって周囲に飛び散ることが抑制される。
【０１３８】
以上説明した本実施形態の便器洗浄装置１００Ａによれば、以下のような効果を奏する。
本実施形態の便器洗浄装置１００Ａを、便器本体２ａと、便器本体２ａの後方の上面に取り付けられるベースプレート３と、ベースプレート３に配置される洗浄水タンク４と、洗浄水タンク４を覆う上部カバー８ａ（タンクカバー）と、洗浄水を給水する給水流路部５１０と、給水流路部５１０に設けられ、給水流路部５１０を流通する水の流れを調整する水流調整機構６と、水流調整機構６を操作する操作ダイヤル部７と、を備え、ベースプレート３は、洗浄水タンク４が配置される部分と、操作ダイヤル部７がベースプレート３の下方に位置するように取り付けられる水流調整機構取付部３７０（操作ダイヤル取付部）と、を有するように構成した。
そのため、操作ダイヤル部７は、ベースプレート３の下方に位置するため、外部から視認しづらい位置に配置される。これにより、意匠性を向上させることができる。
【０１３９】
また、本実施形態においては、給水流路部５１０は、洗浄水タンク４の内部を通り洗浄水を洗浄水タンク４に給水する主流路部５１１と、主流路部５１１から分岐し洗浄水タンク４の外部を通ると共に洗浄水を補給水として洗浄水タンク４の外部に吐出する分岐流路部５１２と、を有し、水流調整機構６は、分岐流路部５１２に配置され分岐流路部５１２を流通する水の流れを調整する。
そのため、洗浄水タンク４の外部に吐出された補給水を便器本体２ａに供給することができる。また、ベースプレート３に取り付けられた操作ダイヤル部７を操作することで、便器本体２ａに補給する補給水の量を調整することができる。
【０１４０】
また、本実施形態においては、水流調整機構６は、ベースプレート３に取り付けられる。また、操作ダイヤル部７は、ベースプレート３に取り付けられている。
そのため、水流調整機構６と操作ダイヤル部７とがワイヤーなどの長い接続ケーブルを介して接続される場合よりも、操作ダイヤル部７は、水流調整機構６の操作において、補給水の流量の調整範囲を広く確保することが可能であると共に、補給水の流量の調整を精度よく行うことが可能である。
特に、本実施形態においては、操作ダイヤル部７が水流調整機構６に直接接続された状態で、水流調整機構６は、ベースプレート３に取り付けられている。操作ダイヤル部７が水流調整機構６に直接接続されているため、操作ダイヤル部７は、水流調整機構６の操作において、補給水の流量の調整範囲をより広く確保することが可能であると共に、補給水の流量の調整をより精度よく行うことが可能である。
【０１４１】
以上、本発明の便器洗浄装置１００，１００Ａの好ましい実施形態について説明したが、本発明は、上述した実施形態に制限されるものではなく、適宜変更が可能である。
前記第１実施形態では、タンクカバー５０を一体的に成形して形成したが、これに限らない。タンクカバー５０を、例えば、上部カバー部５１及び下部カバー部５２を別体で構成してもよい。
【符号の説明】
【０１４２】
２ａ  便器本体
３  ベースプレート
４  洗浄水タンク
６  水流調整機構
７  操作ダイヤル部（操作部）
８ａ  上部カバー（タンクカバー）
１１  便器本体
２０  ベースプレート
２１  操作ダイヤル取付部（取付部）
２２  区画部
２３  タンク配置部
３０  洗浄水タンク
４１  手洗いボウル部
５０  タンクカバー
７０  流動操作機構（操作機構）
７１  操作ダイヤル部（操作部）
７３  操作ケーブル（接続ケーブル）
１００  便器洗浄装置
１００Ａ  便器洗浄装置
２１３  取付片
３７０  水流調整機構取付部（取付部）
５１０  給水流路部
５１１  主流路部
５１２  分岐流路部
【図１】
0006655950.tif 000002
【図２】
0006655950.tif 000003
【図３】
0006655950.tif 000004
【図４】
0006655950.tif 000005
【図５】
0006655950.tif 000006
【図６Ａ】
0006655950.tif 000007
【図６Ｂ】
0006655950.tif 000008
【図７】
0006655950.tif 000009
【図８】
0006655950.tif 000010
【図９】
0006655950.tif 000011
【図１０】
0006655950.tif 000012
【図１１】
0006655950.tif 000013
【図１２】
0006655950.tif 000014
【図１３】
0006655950.tif 000015
【図１４】
0006655950.tif 000016
【図１５】
0006655950.tif 000017
【図１６】
0006655950.tif 000018